(57)【要約】【課題】簡易な操作で多彩な音楽表現を実現可能な調整装置、ミキサー装置、プログラムおよび調整方法を提供する。【解決手段】複数のオーディオ信号の混合比率を調整するミキサー装置２０であって、オーディオ信号の帯域を複数個に分割した周波数帯域別に混合比率を調整するための操作子により、各周波数帯域におけるオーディオ信号の混合比率を調整するクロスフェーダー装置ＣＦと、クロスフェーダー装置ＣＦに複数のオーディオ信号を割り当てるクロスフェーダーアサインスイッチ２４と、を備えたことを特徴とする。【選択図】図１
2011142690.tif 000002
【特許請求の範囲】
【請求項１】
複数のオーディオ信号の混合比率を調整する調整装置であって、
前記オーディオ信号の帯域を複数個に分割した周波数帯域別に混合比率を調整するための操作子により、各周波数帯域における前記オーディオ信号の混合比率を調整する帯域別調整手段と、
前記帯域別調整手段に前記複数のオーディオ信号を割り当てる割当手段と、を備えたことを特徴とする調整装置。
【請求項２】
前記割当手段は、前記帯域別調整手段に前記複数のオーディオ信号を割り当てない選択が可能であることを特徴とする請求項１に記載の調整装置。
【請求項３】
前記帯域別調整手段は、各オーディオ信号が割り当てられる複数の位置を備え、前記複数の位置に対する前記操作子の位置によって前記オーディオ信号の混合比率を調整するものであり、
前記割当手段は、前記帯域別調整手段の複数の位置に、前記複数のオーディオ信号をそれぞれ割り当てることを特徴とする請求項１に記載の調整装置。
【請求項４】
前記割当手段は、前記複数の位置のうちの１の位置に、前記複数のオーディオ信号を割り当て可能であることを特徴とする請求項３に記載の調整装置。
【請求項５】
前記帯域別調整手段は、各オーディオ信号が割り当てられる複数の端部を備え、前記複数の端部を有する移動範囲内における前記操作子の位置によって前記オーディオ信号の混合比率を調整するものであり、
前記割当手段は、前記帯域別調整手段の複数の位置に、前記複数のオーディオ信号をそれぞれ割り当てることを特徴とする請求項１に記載の調整装置。
【請求項６】
前記帯域別調整手段により調整された、各周波数帯域における前記オーディオ信号の混合比率を表示する帯域別表示手段をさらに備えたことを特徴とする請求項１に記載の調整装置。
【請求項７】
前記帯域別調整手段および前記帯域別表示手段は、表示機能付きタッチパネルにより構成されることを特徴とする請求項６に記載の調整装置。
【請求項８】
前記帯域別調整手段とは独立して、全ての周波数帯域における前記オーディオ信号の混合比率を統括的に調整するメイン調整手段をさらに備えたことを特徴とする請求項１に記載の調整装置。
【請求項９】
前記帯域別調整手段は、全ての周波数帯域における前記オーディオ信号の混合比率を、瞬時に、前記メイン調整手段により調整された混合比率に調整するためのリセット手段を有していることを特徴とする請求項８に記載の調整装置。
【請求項１０】
前記帯域別調整手段は、前記周波数帯域別の複数の前記操作子を用いて、各周波数帯域における前記オーディオ信号の混合比率を調整することを特徴とする請求項１に記載の調整装置。
【請求項１１】
請求項１ないし１０のいずれか１項に記載の調整装置における各手段と、
前記複数のオーディオ信号を入力するオーディオ信号入力手段と、
入力された前記複数のオーディオ信号に対し、前記帯域別調整手段による調整結果に基づいて、前記周波数帯域別に、混合処理を行う混合処理手段と、を備えたことを特徴とするミキサー装置。
【請求項１２】
コンピューターを、請求項１ないし１０のいずれか１項に記載の調整装置における各手段として機能させるためのプログラム。
【請求項１３】
オーディオ信号の帯域を複数個に分割した周波数帯域別に混合比率を調整するための操作子により、各周波数帯域における前記オーディオ信号の混合比率を調整する帯域別調整手段を備えた調整装置の調整方法であって、
前記帯域別調整手段に複数の前記オーディオ信号を割り当てる工程と、
前記帯域別調整手段を用いて、前記複数のオーディオ信号の混合比率を調整する工程と、を備えたことを特徴とする調整方法。
【発明の詳細な説明】
【技術分野】
【０００１】
Ａ端およびＢ端を両端とし、当該両端を結ぶ線分上で操作子を移動させることにより、各端に割り当てられたオーディオ信号の混合比率を調整するための装置である調整装置、ミキサー装置、プログラムおよび調整方法に関するものである。
【背景技術】
【０００２】
従来、Ａ端およびＢ端を両端とし、当該両端を結ぶ線分上で操作子（つまみ、把持部）を移動させることにより、各端に割り当てられたオーディオ信号の混合比率を調整することが可能なクロスフェーダー装置が知られている（例えば、特許文献１）。このクロスフェーダー装置は、Ａ端からＢ端への操作子の移動に伴って第１のオーディオ信号の音量が大きくなり、逆にＢ端からＡ端への操作子の移動に伴って第２のオーディオ信号の音量が大きくなるように構成されている。つまり、操作子の位置に応じて、２種類のオーディオ信号の混合比率を同時に調整できるようになっている。このように、クロスフェーダー装置は、１つの操作で複雑な音量コントロールが実現できるため、クラブ等において、ミキサー装置などのＤＪ機器（ディスクジョッキー（ＤＪ）が音響パフォーマンスに用いる機器）に適用されることが多い。
【０００３】
一方、ミキサー装置に搭載される装置として、イコライザー装置が知られている。このイコライザー装置は、オーディオ信号の帯域を、高域・中域・低域に分割して、音量調整を行うためのものである。クラブ等においては、ＤＪが、このようなイコライザー装置やクロスフェーダー装置などの多数の操作子を用いて、複雑且つ個性的なパフォーマンスを行っている。
【先行技術文献】
【特許文献】
【０００４】
【特許文献１】特開２００４−５９８７号公報
【発明の概要】
【発明が解決しようとする課題】
【０００５】
ところが、いくらＤＪとは言え、イコライザー装置やクロスフェーダー装置などの複数の操作子を同時に且つ適切に操作することは非常に困難である。そこで、簡易な操作で、さらに多彩な音楽表現を実現できることが望まれている。
【０００６】
本発明は、上記の問題点に鑑み、簡易な操作で多彩な音楽表現を実現可能な調整装置、ミキサー装置、プログラムおよび調整方法を提供することを目的とする。
【課題を解決するための手段】
【０００７】
本発明の調整装置は、複数のオーディオ信号の混合比率を調整する調整装置であって、オーディオ信号の帯域を複数個に分割した周波数帯域別に混合比率を調整するための操作子により、各周波数帯域におけるオーディオ信号の混合比率を調整する帯域別調整手段と、帯域別調整手段に複数のオーディオ信号を割り当てる割当手段と、を備えたことを特徴とする。
上記に記載の調整装置において、割当手段は、帯域別調整手段に複数のオーディオ信号を割り当てない選択が可能であることを特徴とする。
上記に記載の調整装置において、帯域別調整手段は、各オーディオ信号が割り当てられる複数の位置を備え、複数の位置に対する操作子の位置によってオーディオ信号の混合比率を調整するものであり、割当手段は、帯域別調整手段の複数の位置に、複数のオーディオ信号をそれぞれ割り当てることを特徴とする。
上記に記載の調整装置において、割当手段は、複数の位置のうちの１の位置に、複数のオーディオ信号を割り当て可能であることを特徴とする。
上記に記載の調整装置において、帯域別調整手段は、各オーディオ信号が割り当てられる複数の端部を備え、複数の端部を有する移動範囲内における操作子の位置によってオーディオ信号の混合比率を調整するものであり、割当手段は、帯域別調整手段の複数の位置に、複数のオーディオ信号をそれぞれ割り当てることを特徴とする。
上記に記載の調整装置において、帯域別調整手段により調整された、各周波数帯域におけるオーディオ信号の混合比率を表示する帯域別表示手段をさらに備えたことを特徴とする。
上記に記載の調整装置において、帯域別調整手段および帯域別表示手段は、表示機能付きタッチパネルにより構成されることを特徴とする。
上記に記載の調整装置において、帯域別調整手段とは独立して、全ての周波数帯域におけるオーディオ信号の混合比率を統括的に調整するメイン調整手段をさらに備えたことを特徴とする。
上記に記載の調整装置において、帯域別調整手段は、全ての周波数帯域におけるオーディオ信号の混合比率を、瞬時に、メイン調整手段により調整された混合比率に調整するためのリセット手段を有していることを特徴とする。
上記に記載の調整装置において、帯域別調整手段は、周波数帯域別の複数の操作子を用いて、各周波数帯域におけるオーディオ信号の混合比率を調整することを特徴とする。
本発明のミキサー装置は、上記に記載の調整装置における各手段と、複数のオーディオ信号を入力するオーディオ信号入力手段と、入力された複数のオーディオ信号に対し、帯域別調整手段による調整結果に基づいて、周波数帯域別に、混合処理を行う混合処理手段と、を備えたことを特徴とする。
本発明のプログラムは、コンピューターを、上記に記載の調整装置における各手段として機能させることを特徴とする。
本発明の調整方法は、オーディオ信号の帯域を複数個に分割した周波数帯域別に混合比率を調整するための操作子により、各周波数帯域におけるオーディオ信号の混合比率を調整する帯域別調整手段を備えた調整装置の調整方法であって、帯域別調整手段に複数のオーディオ信号を割り当てる工程と、帯域別調整手段を用いて、複数のオーディオ信号の混合比率を調整する工程と、を備えたことを特徴とする。
なお、以下の構成としても良い。
本発明のクロスフェーダー装置は、Ａ端およびＢ端を両端とし、当該両端を結ぶ線分上で操作子を移動させることにより、各端に割り当てられたオーディオ信号の混合比率を調整するクロスフェーダー装置であって、オーディオ信号の帯域を複数個に分割した周波数帯域別の操作子である、複数の帯域別操作子により、各周波数帯域におけるオーディオ信号の混合比率を調整する帯域別調整手段を備えたことを特徴とする。
【０００８】
この構成によれば、各周波数帯域に対応した複数の帯域別操作子により、周波数帯域別に、Ａ端およびＢ端に割り当てられたオーディオ信号の混合比率を同時に調整することができる。つまり、複数の帯域別操作子の操作により、イコライザー装置とクロスフェーダー装置とを同時に操作した場合の操作結果を得ることができる。これにより、簡易な操作で、繊細且つ複雑なオーディオコントロールが可能となり、多彩な音楽表現を実現することができる。
なお、「複数の帯域別操作子」は、ハードウェア的なものであってもソフトウェア的なものであっても良い。すなわち、物理的に搭載された操作子であっても良いし、表示機能付きタッチパネル等にＧＵＩ表示された操作子を、指やポインティングデバイスを用いて操作するものであっても良い。
【０００９】
上記に記載のクロスフェーダー装置において、帯域別調整手段により調整された、各周波数帯域におけるオーディオ信号の混合比率を表示する帯域別表示手段をさらに備えたことを特徴とする。
【００１０】
この構成によれば、各周波数帯域におけるオーディオ信号の混合比率を視覚的に確認することができる。
なお、「帯域別表示手段」は、各周波数帯域におけるオーディオ信号の混合比率を、クロスフェーダー装置を模した（ＧＵＩ表示した）イメージ図によって表現しても良いし、図形、グラフ、文字および数字等によって表現しても良い。
【００１１】
上記に記載のクロスフェーダー装置において、帯域別調整手段および帯域別表示手段は、表示機能付きタッチパネルにより構成されることを特徴とする。
【００１２】
この構成によれば、表示機能付きタッチパネルにより、帯域別調整手段および帯域別表示手段の両手段を実現できる（ＧＵＩ表示されたクロスフェーダー装置上で操作できる）ため、装置構成の小型化および低廉化を図ることができる。
【００１３】
上記に記載のクロスフェーダー装置において、帯域別調整手段は、複数の周波数帯域に対応する複数の線分が、同一長さであって、且つ各線分のＡ端およびＢ端がそれぞれ一直線上に並ぶように、所定の間隙を存して並列配置されていることを特徴とする。
【００１４】
この構成によれば、複数の帯域別操作子が、それぞれ異なる線分上を移動可能であるため、各帯域別操作子の操作性を向上させることができる。また、Ａ端およびＢ端がそれぞれ一直線上に並ぶように並列配置されているため、設置領域を小さくすることができると共に、さらなる操作性の向上が期待できる。
なお、「複数の線分」は、対応する周波数帯域の順序に従って（周波数の低いものから順に、または周波数の高いものから順に）並列配置されることが好ましい。
【００１５】
上記に記載のクロスフェーダー装置において、帯域別調整手段は、各周波数帯域に対応する各線分上の任意の点がタッチされることにより、対応する周波数帯域におけるオーディオ信号の混合比率を調整できることを特徴とする。
【００１６】
この構成によれば、表示機能付きタッチパネル上において、各周波数帯域に対応する各線分上の任意の点をタッチするだけで（各線分上で各操作子をドラッグ移動させることなく）、対応する周波数帯域におけるオーディオ信号の混合比率を調整することができる。これにより、例えば並列配置された線分上の中点を、当該線分に対して垂直方向になぞることで、各端に割り当てられたオーディオ信号の混合比率を均等に割り当てる（リセットする）ことができる。
【００１７】
上記に記載のクロスフェーダー装置において、帯域別調整手段は、線分上の任意の点のタッチが解除された場合、当該任意の点における混合比率から、タッチ前に指定されていた指定点または予め定められている所定点における混合比率へ、瞬時にまたは徐々に変化するように調整することを特徴とする。
【００１８】
この構成によれば、タッチされた任意の点からタッチ前に指定されていた指定点、またはタッチされた任意の点から予め定められている所定点へ、瞬時にまたは徐々に変化するように、オーディオ信号の混合比率を調整することができる。
なお、指定点と所定点のいずれに向かって変化させるか、瞬時に移動させるか、徐々に移動させるか、などについてユーザーが設定可能としても良い。また、徐々に移動させる場合は、その移動速度や移動時間について、ユーザーが設定可能としても良い。
【００１９】
上記に記載のクロスフェーダー装置において、帯域別調整手段は、線分上の任意の点のタッチが解除された場合、解除後も当該任意の点における混合比率を保持することを特徴とする。
【００２０】
この構成によれば、タッチされた任意の点における混合比率を、タッチが解除された後もそのまま保持しておくことができる。
なお、タッチが解除された後、指定点または所定点に向かって変化させるか、保持させるか、などについてユーザーが設定可能としても良い。
【００２１】
上記に記載のクロスフェーダー装置において、帯域別調整手段は、各線分のＡ端側およびＢ端側に設けられた一対の最大切替操作子の操作によって、各線分に対応する周波数帯域におけるオーディオ信号の混合比率を、Ａ端側またはＢ端側から見て最大値となるように調整することを特徴とする。
【００２２】
この構成によれば、一対の最大切替操作子の操作（例えば、最大切替操作子がボタンの場合は、当該ボタンの押下）により、容易に、各端に割り当てられたオーディオ信号の混合比率を最大値または最小値に調整することができる。
【００２３】
上記に記載のクロスフェーダー装置において、周波数帯域別にスペクトラムアナライザ表示を行うスペクトラムアナライザ表示手段をさらに備え、スペクトラムアナライザ表示手段は、Ａ端およびＢ端に割り当てられたオーディオ信号の入力レベルおよび出力レベルを、線分の中点または両端を最小値とし、且つ各端に向かって大きな値となるように表示することを特徴とする。
【００２４】
この構成によれば、スペクトラムアナライザ表示を確認しながら、各端に割り当てられたオーディオ信号の混合比率を調整することができる。
【００２５】
上記に記載のクロスフェーダー装置において、帯域別調整手段は、スペクトラムアナライザ表示手段により、各周波数帯域におけるＡ端およびＢ端に割り当てられたオーディオ信号の入力レベルの上限値が表示された状態で、対応する周波数帯域におけるオーディオ信号の混合比率を調整できることを特徴とする。
【００２６】
この構成によれば、スペクトラムアナライザ表示手段により、各周波数帯域における各端に割り当てられたオーディオ信号の入力レベルの上限値を確認しながら、各端に割り当てられたオーディオ信号の混合比率を調整することができる。また、混合比率の調整によって、出力レベルが変化するため、入力レベルに対する出力レベルの割合を、確認することができる。
【００２７】
上記に記載のクロスフェーダー装置において、複数の周波数帯域に対応する複数の線分は仮想的な線分であり、スペクトラムアナライザ表示手段は、仮想的な複数の線分に重畳して、各線分に対応する各周波数帯域のスペクトラムアナライザ表示を行うことを特徴とする。
【００２８】
この構成によれば、各周波数帯域別のスペクトラムアナライザ表示手段上で、各周波数帯域におけるオーディオ信号の混合比率を調整することができるため、周波数帯域の対応を容易に把握することができる。また、各周波数帯域におけるオーディオ信号の混合比率の表示と、スペクトラムアナライザ表示とを重畳表示するため、表示領域の省スペース化を図ることができる。さらに、複数の周波数帯域に対応する複数の線分は仮想的な線分であるため、スペクトラムアナライザ表示の視認性を損ねることがない。
【００２９】
上記に記載のクロスフェーダー装置において、帯域別調整手段とは独立して、全ての周波数帯域におけるオーディオ信号の混合比率を統括的に調整するメイン調整手段をさらに備えたことを特徴とする。
【００３０】
この構成によれば、メイン調整手段として、既存のクロスフェーダー装置を備えているため、全ての周波数帯域におけるオーディオ信号の混合比率をまとめて調整したい場合に便利である。
【００３１】
上記に記載のクロスフェーダー装置において、帯域別調整手段は、複数の周波数帯域のうち、指定された１以上の周波数帯域以外の他の周波数帯域におけるオーディオ信号の混合比率を、メイン調整手段により調整された混合比率となるように調整することを特徴とする。
【００３２】
この構成によれば、指定された１以上の周波数帯域以外の他の周波数帯域におけるオーディオ信号の混合比率を、メイン調整手段により調整することができる。
【００３３】
上記に記載のクロスフェーダー装置において、帯域別調整手段は、全ての周波数帯域におけるオーディオ信号の混合比率を、瞬時に、メイン調整手段により調整された混合比率に調整するためのリセット手段を有していることを特徴とする。
【００３４】
この構成によれば、リセット手段の操作により、容易且つ迅速に、全ての周波数帯域におけるオーディオ信号の混合比率を、同じ値にリセットする（メイン調整手段により調整された混合比率となるよう調整にする）ことができる。
【００３５】
上記に記載のクロスフェーダー装置において、帯域別調整手段は、複数の周波数帯域のうち、いずれか１の周波数帯域において目標値が設定された状態で、メイン調整手段が調整された場合、１の周波数帯域におけるオーディオ信号の混合比率を、目標値に応じた混合比率となるように調整すると共に、１の周波数帯域以外の他の周波数帯域におけるオーディオ信号の混合比率を、１の周波数帯域との帯域差に応じた変化をつけて調整することを特徴とする。
【００３６】
この構成によれば、メイン調整手段が、設定された目標値に近づくように、または遠ざかるように調整された場合、目標値が設定された１の周波数帯域との帯域差に応じた変化をつけて、他の周波数帯域におけるオーディオ信号の混合比率を調整することができる。つまり、簡易な操作で、変化のある個性的なオーディオコントロールが可能となる。
なお、「他の周波数帯域におけるオーディオ信号の混合比率を、〜変化をつけて調整する」の具体例としては、メイン調整手段が目標値に近づくように調整された場合、１の周波数帯域との帯域差に応じて各周波数帯域の調整開始タイミングを遅らせつつ（帯域差が大きいほど調整開始タイミングを遅くしつつ）目標値に近づくように調整することが考えられる。また、メイン調整手段が目標値から遠ざかるように調整された場合、１の周波数帯域との帯域差に応じて各周波数帯域の調整開始タイミングを早めつつ（帯域差が大きいほど調整開始タイミングを早めつつ）目標値から遠ざかるように調整することが考えられる。この調整方法によれば、隣接する周波数帯域間で大きな混合比率の違いが生じないため、自然な（違和感のない）オーディオコントロールが可能となる。
【００３７】
上記に記載のクロスフェーダー装置において、帯域別調整手段は、メイン調整手段による調整が目標値と一致したとき、全ての周波数帯域におけるオーディオ信号の混合比率を、目標値と一致させることを特徴とする。
【００３８】
この構成によれば、メイン調整手段を目標値と一致するように調整することにより、全ての周波数帯域におけるオーディオ信号の混合比率を、目標値にリセットすることができる。
なお、上記の具体例のように、他の周波数帯域におけるオーディオ信号の混合比率を調整した場合、本構成を実現するため、他の周波数帯域における調整開始タイミングからのメイン調整手段の単位移動量に対する混合比率の変化量を、帯域差に応じて大きく設定する（帯域差が大きいほど変化量を大きく設定する）ことが好ましい。
【００３９】
上記に記載のクロスフェーダー装置において、帯域別調整手段は、複数の周波数帯域をグループ分けするグルーピング手段と、同一グループに属する１以上の周波数帯域におけるオーディオ信号の混合比率を、同時且つ同様に調整するグループ別調整手段と、を有することを特徴とする。
【００４０】
この構成によれば、グループ単位で、オーディオ信号の混合比率を調整することができる。これにより、指１本で（複数の指や両手を用いることなく）、複数の周波数帯域を操作することができる。
【００４１】
上記に記載のクロスフェーダー装置において、グループ別調整手段は、グループ分けされた複数のグループのうち、いずれか１のグループに対する調整が行われた場合、他のグループのうち少なくとも１のグループに対して、相反する調整を行うことを特徴とする。
【００４２】
この構成によれば、１のグループに対する調整に連動して、他のグループの調整も可能となるため、より複雑なオーディオコントロールを、指１本で実現することができる。
【００４３】
上記に記載のクロスフェーダー装置において、帯域別調整手段は、複数の周波数帯域のうち、いずれか１の周波数帯域に対する調整が行われた場合、他の周波数帯域に対して、当該１の周波数帯域との帯域差に応じた調整を行うことを特徴とする。
【００４４】
上記に記載のクロスフェーダー装置において、帯域別調整手段は、複数の周波数帯域のうち、いずれか１の周波数帯域に対する調整が行われた場合、当該１の周波数帯域におけるオーディオ信号の調整後の混合比率が、Ａ端側またはＢ端側から見て上限値または下限値となり、且つ他の周波数帯域におけるオーディオ信号の混合比率が、帯域差に応じて徐々に減少または増加するように、他の周波数帯域に対する調整を行うことを特徴とする。
【００４５】
これらの構成によれば、１の周波数帯域に対する調整に連動し、他の周波数帯域を帯域差に応じて調整することができる。つまり、簡易な操作で、変化のある個性的なオーディオコントロールが可能となる。また、他の周波数帯域におけるオーディオ信号の混合比率が、帯域差に応じて徐々に減少または増加するように調整を行うことで、隣接する周波数帯域間で大きな混合比率の違いが生じないため、自然なオーディオコントロールが可能となる。
【００４６】
上記に記載のクロスフェーダー装置において、複数の周波数帯域は、楽器の音域を基準として分割されていることを特徴とする。
【００４７】
この構成によれば、所望の楽器の音を抜くようなオーディオコントロールが可能となる。
【００４８】
本発明のミキサー装置は、上記のいずれか１項に記載のクロスフェーダー装置における各手段と、オーディオ信号を入力するオーディオ信号入力手段と、入力されたオーディオ信号を、Ａ端またはＢ端に割り当てる信号割り当て手段と、Ａ端またはＢ端に割り当てられたオーディオ信号に対し、帯域別調整手段による調整結果に基づいて、周波数帯域別に、混合処理を行う混合処理手段と、を備えたことを特徴とする。
【００４９】
本発明のプログラムは、コンピューターを、上記に記載のクロスフェーダー装置における各手段として機能させるためのものであることを特徴とする。
【００５０】
これらの構成によれば、簡易な操作で多彩な音楽表現を実現可能なミキサー装置およびプログラムを提供することができる。
【図面の簡単な説明】
【００５１】
【図１】本発明の一実施形態に係る再生システムのシステム構成図である。
【図２】周波数帯域の分割例と、各周波数帯域に対応する楽器の一例を示す図である。
【図３】クロスフェーダー装置の動作例（基本動作）を示す図である。
【図４】クロスフェーダー装置の動作例（タッチ場所の非保持動作）を示す図である。
【図５】クロスフェーダー装置の動作例（スペクトラムアナライザ表示との連携動作）を示す図である。
【図６】クロスフェーダー装置の動作例（メイン調整手段との連携動作（１））を示す図である。
【図７】クロスフェーダー装置の動作例（メイン調整手段との連携動作（２））を示す図である。
【図８】クロスフェーダー装置の動作例（メイン調整手段との連携動作（３））を示す図である。
【図９】図８に続く、クロスフェーダー装置の動作例（メイン調整手段との連携動作（３））を示す図である。
【図１０】クロスフェーダー装置の動作例（グループ動作（１））を示す図である。
【図１１】クロスフェーダー装置の動作例（グループ動作（２））を示す図である。
【図１２】クロスフェーダー装置の動作例（１の帯域別操作子の操作に基づく連動動作）を示す図である。
【発明を実施するための形態】
【００５２】
以下、本発明の一実施形態に係る調整装置、ミキサー装置、プログラムおよび調整方法について、添付図面を参照しながら詳細に説明する。本実施形態では、本発明の調整装置をミキサー装置に適用した場合について例示する。
【００５３】
図１は、本発明のミキサー装置２０を適用した再生システムＳＹのシステム構成図である。同図に示すように、再生システムＳＹは、複数台（図示では、２台）のプレーヤー１０と、当該プレーヤー１０から入力されたオーディオ信号を各チャンネルに割り当てて混合処理を行うミキサー装置２０と、当該ミキサー装置２０から出力されたオーディオ信号を外部出力する出力装置３０と、を備えている。
【００５４】
プレーヤー１０は、ＣＤ、ＵＳＢメモリ、ＳＤメモリカードなどの外部記憶媒体、またはハードディスクなどの内部記憶媒体から楽曲を読み出して再生する。また、出力装置３０は、アンプおよびスピーカーを有し（いずれも図示省略）、ミキサー装置２０から出力されたオーディオ信号を音声として出力する。さらに、プレーヤー１０とミキサー装置２０、並びにミキサー装置２０と出力装置３０は、それぞれＲＳＡケーブルなどのオーディオケーブルを介して接続されている。なお、有線接続ではなく、無線接続であっても良い。
【００５５】
ミキサー装置２０は、信号入力部２１、周波数分割装置２２、表示機能付きタッチパネル２３（以下、単に「タッチパネル２３」と称する）、クロスフェーダーアサインスイッチ２４、混合装置２５および信号出力部２６を有している。
【００５６】
信号入力部２１は、複数台のプレーヤー１０からオーディオ信号を入力するため、複数の入力端子を備えている（オーディオ信号入力手段）。各入力端子から入力されたオーディオ信号は、各チャンネルに割り当てられ、後述するクロスフェーダー装置ＣＦ（調整装置）や不図示のチャンネルフェーダーなどによって、音量調整が行われる。周波数分割装置２２は、各チャンネルに割り当てられたオーディオ信号を、複数の周波数帯域に分割する。本実施形態では、８つの周波数帯域に分割する（図２参照）。なお、周波数分割装置２２は、各チャンネルのオーディオ信号に対し、全て同数且つ同範囲で周波数分割を行う。
【００５７】
タッチパネル２３は、本発明のクロスフェーダー装置ＣＦを実現する。クロスフェーダー装置ＣＦは、Ａ端およびＢ端を両端とし、当該両端を結ぶ線分５２上で操作子５１（帯域別操作子）を移動させることにより、各端に割り当てられたオーディオ信号の混合比率を調整するものであるが、本実施形態では、特に、周波数帯域別に調整可能であることを特徴としている（図３等参照）。したがって、線分５２および操作子５１は、周波数帯域毎に設けられている（帯域別調整手段５０）。
【００５８】
クロスフェーダーアサインスイッチ２４は、各チャンネルの出力を、クロスフェーダー装置ＣＦの両端（Ａ側またはＢ側）若しくは「スルー」のいずれに割り当てるかを選択するための操作子である（割当手段）。なお、複数のチャンネルが同じ側を選択した場合、それらを加算したものが割り当てられる。また、「スルー」が選択されている場合は、クロスフェーダー装置ＣＦを通らずに、そのまま出力されることとなる。なお、クロスフェーダーアサインスイッチ２４を、タッチパネル２３で実現することも可能である。
【００５９】
混合装置２５は、タッチパネル２３に表示されたクロスフェーダー装置ＣＦの任意の点をユーザーが押下することによって発生するタッチ位置信号に基づいて、クロスフェーダー装置ＣＦの各端に割り当てられたオーディオ信号の混合比率を算出する。本実施形態では、上記の通り、周波数帯域別に混合比率を調整可能となっているため、周波数帯域別に混合比率を算出する。また、算出した周波数帯域別の混合比率に基づいて、各周波数帯域におけるオーディオ信号の混合処理を行う（混合処理手段）。信号出力部２６は、混合装置２５による混合処理済みのオーディオ信号を、出力装置３０に向けて出力するための出力端子を備えている。
【００６０】
次に、図２を参照し、周波数分割装置２２により分割される複数の周波数帯域について説明する。同図は、周波数帯域の分割例と、各周波数帯域に対応する楽器の一例を示す図である。上記の通り、本実施形態では、オーディオ信号の帯域を、８つの周波数帯域に分割する。以下の説明では、便宜上、周波数の低いものから順に、各周波数帯域を、帯域番号＜１＞〜＜８＞で示す。同図に示すように、帯域番号＜１＞は、８０［Ｈｚ］未満の周波数帯域であり、対応する楽器としては「ベース」を想定している。また、帯域番号＜２＞は、８０［Ｈｚ］以上１５０［Ｈｚ］未満の周波数帯域であり、対応する楽器としては「バスドラ」を想定している。その他、帯域番号＜３＞〜＜８＞については、図示の通りである。
【００６１】
このように、複数の周波数帯域は、オーディオ信号の帯域を単に均等分割するのではなく、楽器の音域を基準として分割しているため、周波数帯域別に設けられた複数の操作子５１の操作により、所望の楽器の音を抜くようなオーディオコントロールが可能となる。
【００６２】
次に、図３ないし図１２を参照し、クロスフェーダー装置ＣＦの具体的な動作例について説明する。上記の通り、クロスフェーダー装置ＣＦはタッチパネル２３により構成されるため、図３ないし図１２には、当該タッチパネル２３にＧＵＩ表示されるクロスフェーダー装置ＣＦを図示する（帯域別表示手段）。
【００６３】
図３は、クロスフェーダー装置ＣＦの基本動作を示す図である。まず、図３（ａ）を参照し、帯域別調整手段５０の構成について説明する。帯域別調整手段５０は、周波数帯域別に設けられた８つの操作子５１と、周波数帯域別に設けられた８本の線分５２と、各線分５２の両端に設けられた一対の最大切替ボタン５３，５４（最大切替操作子）と、を備えている。
【００６４】
各操作子５１は、短冊状の形状を成しており、通常時は黒色であるが、状況に応じてその表示色が変化する。また、各線分５２は、ユーザーから向かって左右方向に伸びる直線であり、各操作子５１の移動経路となる。つまり、各操作子５１は、各線分５２に沿ってドラッグ移動が可能であると共に、各線分５２の任意の点がタッチされると、そのタッチ位置に瞬時に移動可能となっている（図３（ｂ）の帯域番号＜２＞参照）。
【００６５】
また、各線分５２は、全て同一長さであって、且つ各線分５２のＡ端およびＢ端がそれぞれ上下方向に一直線上に並ぶように、所定の間隙を存して並列配置されている。さらに、各線分５２は、対応する周波数帯域の帯域番号が小さい順に（周波数が低い順に）、下から上方向に向かって（ユーザーの手前側から奥側に向かって）、順に配置されている。なお、各線分５２の帯域番号は、図面上＜＞で示しているが、実際にタッチパネル２３上に表示されるものではない。
【００６６】
このように、本実施形態の帯域別調整手段５０は、各周波数帯域に対応する各線分５２上の任意の点をタッチするだけで、対応する周波数帯域におけるオーディオ信号の混合比率を調整でき、且つ各線分５２が並列配置されているため、各線分５２上の任意の位置を上下方向に（線分５２に対して垂直方向に）なぞることで、各端に割り当てられたオーディオ信号の混合比率を同じ値に調整することができる。
【００６７】
一方、一対の最大切替ボタン５３，５４は、各線分５２のＡ端に設けられるＡ端側最大切替ボタン５３と、各線分５２のＢ端に設けられるＢ端側最大切替ボタン５４と、から成る。Ａ端側最大切替ボタン５３が押下（タッチ）されると、Ａ端側に割り当てられたオーディオ信号の混合比率を、Ｍａｘ（最大値）に調整する。同様に、Ｂ端側最大切替ボタン５４が押下されると、Ｂ端側に割り当てられたオーディオ信号の混合比率を、Ｍａｘに調整する（図３（ｃ）の帯域番号＜８＞参照）。このように、一対の最大切替ボタン５３，５４を設けたことにより、各端に割り当てられたオーディオ信号の混合比率を、容易に、最大値または最小値に調整することができる。
【００６８】
なお、各操作子５１の表示色および形状、各線分５２の間隔、最大切替ボタン５３，５４の表示／非表示、などについてユーザーが設定可能としても良い。
【００６９】
続いて、図４を参照し、タッチ場所の非保持動作について説明する。本実施形態の帯域別調整手段５０は、図４（ａ）に示すように、例えば、帯域番号＜６＞の操作子５１が、線分５２上の位置Ｐ１にある状態から、同じ線分５２上の位置Ｐ２までドラッグ移動され、タッチが解除されると、図４（ｂ）に示すように、位置Ｐ２から位置Ｐ１まで徐々に操作子５１を移動させることができる。つまり、任意の点（位置Ｐ２）のタッチが解除された場合、タッチが解除された任意の点からタッチ前に指定されていた指定点（位置Ｐ１）まで、操作子５１が徐々に変化するように、オーディオ信号の混合比率を調整することができる。
【００７０】
このように、タッチ場所の非保持動作によれば、タッチを解除した後に、徐々に混合比率を変化させるなど、物理的な操作子では実現し得ないようなオーディオコントロールが可能となる。
【００７１】
なお、任意の点（位置Ｐ２）から指定点（位置Ｐ１）まで徐々に移動させるのではなく、瞬時に移動させるようにしても良い。また、任意の点から、タッチ前に指定されていた指定点まで移動させるのではなく、任意の点から、予め定められている所定点（例えば、Ａ端側から見てＭｉｎまたはＭａｘ、若しくはＡ端とＢ端の中点など）まで移動させても良い。さらに、位置Ｐ１から位置Ｐ２まで、ドラッグ移動するのではなく、位置Ｐ１をタッチした後、位置Ｐ２を直接タッチすることにより、任意の点を指定可能としても良い。
【００７２】
また、非保持動作の設定／非設定、瞬時に移動させるか徐々に移動させるか、徐々に移動させる場合の移動速度、徐々に移動させる場合の移動時間（任意の点から指定点または所定点までの移動に要する時間）、指定点と所定点のいずれに向かって移動させるか、所定点をどこにするか、などについてユーザーが設定可能としても良い。
【００７３】
続いて、図５を参照し、スペクトラムアナライザ表示との連携動作について説明する。同図に示すように、本実施形態の帯域別調整手段５０は、スペクトラムアナライザ表示手段６０上で動作することができるようになっている。この場合、各操作子５１は、菱形形状を成し、各線分５２は非表示（仮想線）となる。
【００７４】
スペクトラムアナライザ表示手段６０は、各端に割り当てられた周波数帯域別のオーディオ信号の入力レベルおよび出力レベルを、各線分５２の中点６３（同図では、中心線６３にて図示）をＭｉｎとし、且つ各端に向かって大きな値となるように（各端がＭａｘとなるように）表示する。つまり、中点６３から左側が、Ａ端側オーディオ信号表示領域６１であり、中点６３から右側が、Ｂ端側オーディオ信号表示領域６２となっている。なお、スペクトラムアナライザ表示手段６０において分割される周波数帯域の数および各周波数帯域の範囲は、帯域別調整手段５０と同様である（図２参照）。
【００７５】
また、スペクトラムアナライザ表示手段６０は、入力レベルと出力レベルとを異なる表示色で表示する。例えば、入力レベルを灰色、出力レベルを青色で表示する場合であって、図５（ａ）に示すように、全操作子５１がＡ端に位置している場合、全周波数帯域におけるＡ端側オーディオ信号の出力レベルはＭａｘであるため、Ａ端側オーディオ信号表示領域６１は全て青色表示（図５では、無地領域に相当）となり、Ｂ端側オーディオ信号表示領域６２は全て灰色表示（図５では、斜線領域に相当）となる。
【００７６】
例えば、図５（ａ）に示す状態から、帯域番号＜５＞の操作子５１が、中点６３に向かって図５（ｂ）に示す位置までドラッグされると、両端側におけるオーディオ信号の入力レベルの上限値が灰色表示された状態のまま、Ａ端側オーディオ信号の出力レベルの青色表示領域が小さくなる。また、これに伴って、Ｂ端側オーディオ信号の出力レベルの青色表示領域が大きくなる。
【００７７】
また、例えば、図５（ｃ）に示すように、各線分５２の中点６３に沿って上下方向になぞると、各端に割り当てられたオーディオ信号を均等に混合させることができる。この場合、Ａ端側オーディオ信号表示領域６１およびＢ端側オーディオ信号表示領域６２共に、全周波数帯域において、入力レベルの灰色表示領域の略半分の領域が、出力レベルの青色表示領域となる。
【００７８】
このように、本例によれば、本実施形態の帯域別調整手段５０の各線分５２に重畳して、各線分５２に対応する各周波数帯域のスペクトラムアナライザ表示を行うため、周波数帯域の対応を容易に把握することができる。また、各周波数帯域におけるオーディオ信号の混合比率の表示と、スペクトラムアナライザ表示とを重畳表示するため、表示領域の省スペース化を図ることができる。さらに、スペクトラムアナライザ表示と連携する場合、各線分５２を非表示とするため、スペクトラムアナライザ表示の視認性を損ねることがない。
【００７９】
また、スペクトラムアナライザ表示との連携動作により、ユーザーは、スペクトラムアナライザ表示を確認しながら、各端に割り当てられたオーディオ信号の混合比率を調整することができる。また、各周波数帯域で各端に割り当てられたオーディオ信号の入力レベルの上限値が表示された状態のまま調整することができ、当該調整によって出力レベルのみが変化するため、ユーザーは、オーディオ信号の出力状態を容易に把握することができる。
【００８０】
なお、スペクトラムアナライザ表示との連携動作の有無（スペクトラムアナライザ表示の表示／非表示）、操作子５１の表示色および形状、線分５２の表示／非表示、入力レベルと出力レベルの表示色、などについてユーザーが設定可能としても良い。
【００８１】
また、上記の例において、スペクトラムアナライザ表示手段６０は、各端に割り当てられた周波数帯域別のオーディオ信号の入力レベルおよび出力レベルを、各線分５２の中点６３をＭｉｎとして表示したが、各線分５２の両端をＭｉｎとし、他端に向かって大きな値となるように表示しても良い。また、各線分５２の両端をＭｉｎとし、中点６３をＭａｘとして表示しても良い。
【００８２】
続いて、図６ないし図９を参照し、メイン調整手段７０との連携動作について説明する。図６は、メイン調整手段７０との連携動作（１）を示す図である。同図に示すように、本例におけるクロスフェーダー装置ＣＦは、帯域別調整手段５０と、メイン調整手段７０と、から成る。なお、図６以下の図面においては、最大切替ボタン５３，５４（図３等参照）の図示を省略する。
【００８３】
メイン調整手段７０は、帯域別調整手段５０とは独立して、全ての周波数帯域におけるオーディオ信号の混合比率を統括的に調整する、いわゆる従来型のクロスフェーダー装置であり、操作子７１と、当該操作子７１の移動経路である線分７２と、を備えている。メイン調整手段７０は、帯域別調整手段５０の下側（ユーザーから見て手前側）に配置され、操作子７１および線分７２は、帯域別調整手段５０の操作子５１および線分５２と、略同サイズ且つ同形状を成している。
【００８４】
本例における帯域別調整手段５０は、例えば、図６（ａ）に示す状態から、図６（ｂ）に示すように、メイン調整手段７０の操作子７１が、位置Ｐ１から位置Ｐ２に移動（ドラッグ移動またはタッチ移動）されると、帯域別調整手段５０の全操作子５１が、メイン調整手段７０の操作子７１に連動して移動する（位置Ｐ２に集結する）。
【００８５】
なお、図６（ｃ）に示すように、リセットボタン５６（リセット手段）を設けることにより、図６（ｂ）と略同様の動作を実現することが可能である。この場合、図６（ａ）に示す状態でリセットボタン５６が押下されると、図６（ｃ）に示すように、帯域別調整手段５０の全操作子５１が、メイン調整手段７０の操作子７１の位置（位置Ｐ１）に集結する。なお、同図の例では、メイン調整手段７０の近傍にリセットボタン５６が設けられているが、他の場所（例えば、帯域別調整手段５０の近傍）に設けても良い。
【００８６】
このように、メイン調整手段７０との連携動作（１）によれば、従来型のクロスフェーダー装置に相当するメイン調整手段７０を備えているため、全ての周波数帯域におけるオーディオ信号の混合比率をまとめて調整したい場合に便利である。また、リセットボタン５６を設けることにより、容易且つ迅速に、全ての周波数帯域におけるオーディオ信号の混合比率を、同じ値にリセットする（メイン調整手段７０により調整された混合比率となるよう調整にする）ことができる。
【００８７】
なお、メイン調整手段７０を設けるか否か、メイン調整手段７０の配置、リセットボタン５６を設けるか否か、リセットボタン５６の配置、などについてユーザーが設定可能としても良い。
【００８８】
また、上記の例において、メイン調整手段７０は、ソフトウェア的に搭載される（タッチパネル２３にＧＵＩ表示される）ものとしたが、ハードウェア的に（物理的に）搭載されても良い。
【００８９】
続いて、図７を参照し、メイン調整手段７０との連携動作（２）について説明する。図７（ａ）に示すように、例えば帯域番号＜６＞の操作子５１がタッチされたままの状態（位置Ｐ１に固定されたままの状態）で、図７（ｂ）に示すように、メイン調整手段７０の操作子７１が位置Ｐ２から位置Ｐ３に移動されると、帯域番号＜６＞以外の周波数帯域における操作子５１が、メイン調整手段７０の操作子７１に連動して移動する（位置Ｐ２から位置Ｐ３に移動する）。つまり、指定された周波数帯域以外の他の周波数帯域におけるオーディオ信号の混合比率を、メイン調整手段７０により調整された混合比率となるように調整することができる。なお、帯域番号＜６＞の操作子５１のタッチが解除され、メイン調整手段７０の操作子７１が移動されると、当該帯域番号＜６＞の操作子５１も、メイン調整手段７０の操作子７１と連動して移動する。
【００９０】
このように、メイン調整手段７０との連携動作（１）によれば、所望の音域の混合比率を固定したまま、他の周波数帯域におけるオーディオ信号の混合比率を一括調整することができる。
【００９１】
なお、上記の例では、１の周波数帯域のみを指定したが、複数の周波数帯域を指定して、それ以外の周波数帯域におけるオーディオ信号の混合比率を、メイン調整手段７０により調整するようにしても良い。また、上記の例では、メイン調整手段７０の操作子７１と、帯域番号＜６＞以外の他の操作子５１と、が同じ位置にある状態から操作を始めた場合を例示しているが、必ずしもそうである必要は無く、例えば図６（ａ）に示した状態から、任意の操作子５１をタッチしたままの状態で、メイン調整手段７０の操作子７１を移動することで、図７（ｂ）と同様の結果を得ることができる。
【００９２】
続いて、図８および図９を参照し、メイン調整手段７０との連携動作（３）について説明する。本例では、図８（ａ）に示すように、まず目標値５８を設定する。この目標値５８は、複数の周波数帯域のうち、いずれか１の周波数帯域において設定可能となっている。また、目標値５８の表示色は操作子５１とは異なる色（例えば、赤色）であり、形状は、操作子５１と略同一である。設定方法としては、不図示の目標値設定ボタンを押下した後、各線分５２上の任意の位置を指定する方法が考えられる。
【００９３】
例えば、図８（ａ）に示すように、帯域番号＜５＞の位置Ｐ３に目標値５８が設定され、メイン調整手段７０の操作子７１が位置Ｐ１から位置Ｐ３に近づくように移動されると、図８（ｂ）に示すように、帯域番号＜５＞以外の周波数帯域における操作子５１が、帯域番号＜５＞との帯域差（帯域番号差）に応じて徐々に遅れながら、位置Ｐ３に向かって移動する。つまり、メイン調整手段７０が目標値５８に近づくように調整された場合、目標値５８が設定された１の周波数帯域におけるオーディオ信号の混合比率を、目標値５８に応じた混合比率となるように調整すると共に、他の周波数帯域におけるオーディオ信号の混合比率を、上記の１の周波数帯域との帯域差に応じて各周波数帯域の調整開始タイミングを遅らせつつ（帯域差が大きいほど調整開始タイミングを遅くしつつ）目標値５８に近づくように調整する。
【００９４】
したがって、メイン調整手段７０の操作子７１が位置Ｐ１と位置Ｐ３との間にある位置Ｐ２に位置している状態では、帯域番号＜４＞と＜６＞が位置Ｐ４、帯域番号＜３＞と＜７＞が位置Ｐ５、帯域番号＜１＞，＜２＞および＜８＞が位置Ｐ１（移動開始していない状態）に位置する。ここで、Ｂ端側から見た混合比率は、位置Ｐ３＞位置Ｐ４＞位置Ｐ５＞Ｐ１である。
【００９５】
図９は、図８に続く、メイン調整手段７０との連携動作（３）を示す図である。図８（ｂ）に示した状態から、さらに、メイン調整手段７０の操作子７１が位置Ｐ３まで移動されると、図９（ａ）に示すように、帯域別調整手段５０の全ての周波数帯域における操作子５１が、位置Ｐ３に集結する。つまり、メイン調整手段７０による調整が目標値５８と一致したとき、全ての周波数帯域におけるオーディオ信号の混合比率を、目標値５８と一致させる。このため、他の周波数帯域における調整開始タイミングからのメイン調整手段７０の単位移動量に対する混合比率の変化量は、帯域差に応じて大きく設定されている（帯域差が大きいほど変化量が大きく設定されている）。
【００９６】
また、図９（ａ）に示した状態から、メイン調整手段７０の操作子７１が位置Ｐ３から遠ざかるように移動されると、図９（ｂ）に示すように、帯域番号＜５＞以外の周波数帯域における操作子５１が、帯域番号＜５＞との帯域差（帯域番号差）に応じて徐々に先行しながら、位置Ｐ３から離間するように移動する。つまり、メイン調整手段７０が目標値５８から遠ざかるように調整された場合、目標値５８が設定された１の周波数帯域におけるオーディオ信号の混合比率を、目標値５８に応じた混合比率のまま保持すると共に、他の周波数帯域におけるオーディオ信号の混合比率を、上記の１の周波数帯域との帯域差に応じて各周波数帯域の調整開始タイミングを早めつつ（帯域差が大きいほど調整開始タイミングを早くしつつ）目標値５８から遠ざかるように調整する。
【００９７】
したがって、メイン調整手段７０の操作子７１が位置Ｐ３とＢ端との間にある位置Ｐ４に位置している状態では、帯域番号＜４＞と＜６＞が位置Ｐ５、帯域番号＜３＞と＜７＞が位置Ｐ６、帯域番号＜２＞と＜８＞が位置Ｐ７、帯域番号＜１＞が位置Ｐ８に位置する。ここで、Ｂ端側から見た混合比率は、位置Ｐ８＞位置Ｐ７＞位置Ｐ６＞位置Ｐ５＞位置Ｐ３である。
【００９８】
このように、メイン調整手段７０との連携動作（３）によれば、メイン調整手段７０が、設定された目標値５８に近づくように、または遠ざかるように調整された場合、目標値５８が設定された１の周波数帯域との帯域差に応じた変化をつけて、他の周波数帯域におけるオーディオ信号の混合比率を調整することができる。つまり、簡易な操作で、変化のある個性的なオーディオコントロールが可能となる。また、メイン調整手段７０が目標値５８に近づくように調整された場合は、１の周波数帯域との帯域差が大きいほど他の周波数帯域の調整開始タイミングを遅らせて調整し、メイン調整手段７０が目標値５８から遠ざかるように調整された場合は、１の周波数帯域との帯域差が大きいほど他の周波数帯域の調整開始タイミングを早めて調整するため、自然な（違和感のない）オーディオコントロールが可能となる。さらに、メイン調整手段７０による調整を目標値５８と一致させることにより、全ての周波数帯域におけるオーディオ信号の混合比率を、容易に目標値５８にリセットすることができる。
【００９９】
なお、メイン調整手段７０による調整が目標値５８と一致したときではなく、メイン調整手段７０による調整が中央値となったとき（操作子７１がＡ端とＢ端の中点に位置したとき）、全ての周波数帯域におけるオーディオ信号の混合比率を中央値にリセットするようにしても良い。
【０１００】
また、帯域差（帯域番号差）に応じた調整開始タイミング、帯域差（帯域番号差）に応じたメイン調整手段７０の単位移動量に対する混合比率の変化量、目標値５８の表示色や形状、全ての周波数帯域におけるオーディオ信号の混合比率を同じ値にリセットする位置（目標値５８または中央値）、などについてユーザーが設定可能としても良い。
【０１０１】
続いて、図１０を参照し、グループ動作（１）について説明する。本例では、帯域別調整手段５０の８つの操作子５１を、グループ単位で動作させる方法について説明する。最初に、図１０（ａ）を参照し、グループ分けの方法を説明する。まず、ユーザーにより不図示のグルーピングボタンが押下されると、クロスフェーダー装置ＣＦの操作領域を、領域８１，８２，８３に３分割して色分け表示する。この状態で、各操作子５１がいずれかの領域に配置されると、同一領域内の操作子５１（つまり、同一領域内の操作子５１に対応する周波数帯域）を、同一グループとしてグループ分けする（グループ分け手段）。例えば、図１０（ａ）に示すように各操作子５１が配置された場合、領域８１に配置された２つの操作子５１ａを第１グループＧ１、領域８２に配置された３つの操作子５１ｂを第２グループＧ２、領域８３に配置された３つの操作子５１ｃを第３グループＧ３、にそれぞれ分類する。分類後、再度グルーピングボタンが押下されると、グループ分けが確定する。なお、同一グループに属する操作子５１は、同じ表示色となる。
【０１０２】
上記のように分類された後、例えば、図１０（ｂ）に示すように、第２グループＧ２に属するいずれかの操作子５１ｂが、位置Ｐ１から位置Ｐ２に移動されると、第２グループＧ２に属する他の操作子５１ｂも連動して移動する。その後、第２グループＧ２のタッチが解除されると、第２グループＧ２に属する操作子５１ｂの位置を保持する。さらに、図１０（ｃ）に示すように、第１グループＧ１に属するいずれかの操作子５１ｂが、位置Ｐ１から位置Ｐ３に移動されると、第１グループＧ１に属する他の操作子５１ａも連動して移動する。つまり、グループ分けされた場合は、同一グループに属する１以上の周波数帯域におけるオーディオ信号の混合比率を、同時且つ同様に調整する（グループ別調整手段）。
【０１０３】
このように、グループ動作（１）によれば、グループ単位で、オーディオ信号の混合比率を調整することができる。これにより、指１本で（複数の指や両手を用いることなく）、複数の周波数帯域を操作することができる。
【０１０４】
なお、上記の例では、連続する帯域番号を同一グループとしてグループ分けしたが、非連続の帯域番号を同一グループとしても良い。つまり、帯域番号＜１＞，＜３＞，＜５＞の周波数帯域を同一グループとしてグループ分けすることも可能である。また、上記の例では、３つのグループＧ１，Ｇ２，Ｇ３にグループ分けしたが、２つまたは１つにグループ分けしても良い。この場合は、３つの領域８１，８２，８３のうち、２つまたは１つの領域を利用してグループ分けすれば良い。
【０１０５】
続いて、図１１を参照し、グループ動作（２）について説明する。例えば、図１１（ａ）に示すように、各操作子５１を２つのグループＧ１，Ｇ２にグループ分けし、不図示の相反動作ボタンを押下すると、図１１（ｂ）に示すように、グループ単位で相反する動作を実現できる。同図の例は、第１グループＧ１に属する４つの操作子５１ａのうちいずれかが位置Ｐ１から位置Ｐ２まで移動されると、同じ第１グループＧ１に属する他の操作子５１ａも連動して移動し、さらに第２グループＧ２に属する４つの操作子５１ｂが、第１グループＧ１と相反して移動する。つまり、本例の帯域別調整手段５０は、グループ分けされた複数のグループのうち、いずれか１のグループに対する調整が行われた場合、他のグループのうち少なくとも１のグループに対して、相反する調整を行う（グループ別調整手段）。
【０１０６】
このように、グループ動作（２）によれば、１のグループに対する調整に連動して、他のグループの調整も可能となるため、より複雑且つ大胆なオーディオコントロールを、指１本で実現することができる。
【０１０７】
なお、上記の例では、２つのグループにグループ分けした場合を例示したが、３つ以上のグループにグループ分けした場合も、グループ動作（２）を適用可能である。この場合、操作対象となるグループ以外の他のグループのうち、１以上のグループに対し、操作対象となるグループと相反する調整が行われる。なお、相反動作対象となるグループは、グループ動作を行う度に指定可能としても良いし、予め設定しておいても良い（操作対象となるグループ以外の全てのグループを相反動作対象とする、操作対象となるグループ以外の他のグループのうちいずれか１つのみを相反動作対象とする、など）。
【０１０８】
その他、グループ動作について、グループ分けする最大数（図１０（ａ）に示した領域８１，８２，８３の数）、グループ分けした後の操作子５１の表示色、相反動作を行うか否か、などについてユーザーが設定可能としても良い。
【０１０９】
続いて、図１２を参照し、１の操作子５１の操作に基づく連動動作について説明する。本例は、図８および図９に示したような、メイン調整手段７０との連携動作（３）による帯域差に応じた調整を、帯域別調整手段５０のみで実現するものである。
【０１１０】
例えば、図１２（ａ）に示すように、全操作子５１がＡ端（位置Ｐ１）にある状態から、図１２（ｂ）に示すように、帯域番号＜５＞の操作子５１が右側（Ｂ端側）に移動されると、帯域番号＜５＞以外の周波数帯域における操作子５１が、帯域番号＜５＞との帯域差（帯域番号差）に応じて徐々に遅れながら、帯域番号＜５＞の操作子５１の移動方向と同方向に移動する。つまり、複数の周波数帯域のうち、いずれか１の周波数帯域がＢ端に近づくように調整された場合、当該１の周波数帯域におけるオーディオ信号の調整後の混合比率が、Ｂ端側から見て上限値となり、且つ他の周波数帯域におけるＢ端側から見たオーディオ信号の混合比率が、帯域差に応じて徐々に減少するように（帯域差が大きいほど混合比率が小さくなるように）、他の周波数帯域に対する調整を行う。
【０１１１】
したがって、帯域番号＜５＞の操作子５１が位置Ｐ２に位置している状態では、帯域番号＜４＞と＜６＞が位置Ｐ３、帯域番号＜３＞と＜７＞が位置Ｐ４、帯域番号＜１＞，＜２＞および＜８＞が位置Ｐ１（移動開始していない状態）に位置する。ここで、Ｂ端側から見た混合比率は、位置Ｐ２＞位置Ｐ３＞位置Ｐ４＞Ｐ１である。
【０１１２】
なお、特に図示しないが、例えば、全操作子５１がＢ端にある状態から、帯域番号＜５＞の操作子５１が左側（Ａ端側）に移動された場合も、上記の例と同様に、帯域番号＜５＞以外の周波数帯域における操作子５１が、帯域番号＜５＞との帯域差（帯域番号差）に応じて徐々に遅れながら、帯域番号＜５＞の操作子５１の移動に伴って、同方向に移動することとなる。
【０１１３】
このように、１の操作子５１の操作に基づく連動動作によれば、１の周波数帯域に対する調整に連動し、他の周波数帯域を帯域差に応じて調整することができる。つまり、簡易な操作で、変化のある個性的なオーディオコントロールが可能となる。また、他の周波数帯域におけるオーディオ信号の混合比率が、帯域差に応じて徐々に減少するように調整を行うことで、隣接する周波数帯域間で大きな混合比率の違いが生じないため、自然なオーディオコントロールが可能となる。
【０１１４】
なお、上記の例では、操作対象となる１の周波数帯域がＢ端に近づくように調整された場合、当該１の周波数帯域におけるオーディオ信号の調整後の混合比率が、Ｂ端側から見て上限値となるように、他の周波数帯域に対する調整を行うものとしたが、下限値となるように調整しても良い。つまり、例えば帯域番号＜５＞の操作子５１が右側に移動された場合、それに先行して他の操作子５１がＢ端に向かって移動するようにしても良い。この場合、帯域番号＜５＞の操作子５１が位置Ｐ２に到達した時点では、「く」字状に各操作子５１が位置することとなる。なお、Ａ端に向かって移動された場合にも、操作対象となる１の周波数帯域におけるオーディオ信号の調整後の混合比率が、Ａ端側から見て下限値となるように調整しても良い。
【０１１５】
また、操作対象の操作子７１がＡ端またはＢ端に位置したとき、帯域別調整手段５０の全ての周波数帯域におけるオーディオ信号の混合比率を、Ａ端またはＢ端から見てＭａｘとなるように調整しても良い。但し、この場合は、他の周波数帯域における調整開始タイミングからの、操作対象となる周波数帯域の単位移動量に対する、他の周波数帯域の混合比率の変化量は、帯域差に応じて大きく設定されている（帯域差が大きいほど変化量が大きく設定されている）必要がある。
【０１１６】
また、操作対象となる１の周波数帯域におけるオーディオ信号の調整後の混合比率を、移動先側の端から見て上限値とするか下限値とするか、帯域差（帯域番号差）に応じた調整開始タイミング、操作対象となる周波数帯域の単位移動量に対する他の周波数帯域の混合比率の変化量、などについてユーザーが設定可能としても良い。
【０１１７】
以上説明したとおり、本実施形態によれば、帯域別調整手段５０により、周波数帯域別に、Ａ端およびＢ端に割り当てられたオーディオ信号の混合比率を同時に調整することができる。また、上記のような各動作を行い得るため、個性的且つ複雑なオーディオコントロールが可能となり、多彩な音楽表現を実現することができる。
【０１１８】
また、本実施形態では、タッチパネル２３で帯域別調整手段５０を実現したことにより、クロスフェーダー装置ＣＦがＧＵＩ表示されるため、各周波数帯域におけるオーディオ信号の混合比率を視覚的に確認するための表示手段を別途備える必要がない。これにより、ミキサー装置２０の装置構成の小型化および低廉化を図ることができる。
【０１１９】
なお、上記の実施形態では、帯域別調整手段５０の調整結果を、タッチパネル２３上で確認できるものとしたが、調整結果を確認するための表示手段を、別途設けても良い。その場合、図形、グラフ、文字および数字等によって調整結果を表現しても良い。また、帯域別調整手段５０を、物理的に搭載された操作子によって実現可能としても良い。
【０１２０】
また、上記の実施形態では、帯域別調整手段５０の各線分５２を、周波数の低い周波数帯域に対応するものから、周波数の高い周波数帯域に対応するものへ、下側から順に上側に向かって配置したが、逆にしても良い。つまり、帯域番号＜１＞〜＜８＞を、帯域番号＜８＞〜＜１＞に入れ替えても良い。また、必ずしも周波数順に並列配置される必要はなく、例えば、帯域番号＜１＞，＜３＞，＜５＞，＜７＞，＜２＞，＜４＞，＜６＞，＜８＞の順に配置するなど、その順序は任意である。さらに、各線分５２は、必ずしも並列配置される必要はなく、多角形を構成する辺のように配置されても良いし、交差するように配置されても良い。
【０１２１】
また、上記の実施形態では、線分５２を周波数帯域毎に設けるものとしたが、共通化しても良い。つまり、１の線分５２上を、複数の周波数帯域に対応した複数の操作子５１が移動可能としても良い。また、線分５２は、必ずしも直線でなくても良く、曲線や破線であっても良い。
【０１２２】
また、上記の実施形態では、帯域別調整手段５０を、８つの周波数帯域に分割して調整する場合を例示したが（図２参照）、分割数や各周波数帯域の帯域幅を、ユーザーが任意に設定可能としても良い。
【０１２３】
また、上記に示したミキサー装置２０の各構成要素をプログラムとして提供することも可能である。また、そのプログラムを各種記録媒体（ＣＤ−ＲＯＭ、フラッシュメモリ等）に格納して提供することも可能である。すなわち、コンピューターをミキサー装置２０の各構成要素として機能させるためのプログラム、およびそれを記録した記録媒体も、本発明の権利範囲に含まれるものである。
【０１２４】
また、上記の実施形態に示したミキサー装置２０を、ＤＪ機器以外の電子楽器やコンピューターに適用しても良い。また、上記図３ないし図１２に示した各動作のうち、選択可能な動作について、ユーザーが設定可能としても良い。さらに、上記の各動作を組み合わせて実行可能としても良い。その他、本発明の要旨を逸脱しない範囲で、適宜変更が可能である。
【符号の説明】
【０１２５】
１０…プレーヤー  ２０…ミキサー装置  ２１…信号入力部  ２２…周波数分割装置  ２３…タッチパネル  ２４…クロスフェーダーアサインスイッチ  ２５…混合装置  ２６…信号出力部  ３０…出力装置  ５１…操作子（帯域別調整手段）  ５２…線分（帯域別調整手段）  ５６…リセットボタン  ５８…目標値  ７１…操作子（メイン調整手段）  ７２…線分（メイン調整手段）  ＣＦ…クロスフェーダー装置  Ｐｎ（ｎ＝１，２・・・）…操作子の位置  ＳＹ…再生システム
【図１】
2011142690.tif 000003
【図２】
2011142690.tif 000004
【図３】
2011142690.tif 000005
【図４】
2011142690.tif 000006
【図５】
2011142690.tif 000007
【図６】
2011142690.tif 000008
【図７】
2011142690.tif 000009
【図８】
2011142690.tif 000010
【図９】
2011142690.tif 000011
【図１０】
2011142690.tif 000012
【図１１】
2011142690.tif 000013
【図１２】
2011142690.tif 000014